(57)【要約】【課題】自立可能な包装袋を大きく開口させて、内容物を容易に取り出せるようにする。【解決手段】基材層とシーラント層を積層したフィルム１を折り曲げ、底面部２、対向する側面部３及び天面部４を形成すると共に、底面部２と天面部４にガセットを形成してシールし、底面部のガセットを開いて自立可能としたフィルム製包装袋において、底面部２に対向する側面部３及び天面部４を順次連設し、底面部２及び天面部４のガセット２ａ，２ｂ，４ａ，４ｂを、複数の襞状の折込により形成し、対向する側面部３とその間に挟まれた底面部２及び天面部４の両側端部を摘むようにして、側端シール部５で一体的にシールすると共に、天面部４の端縁部同士を合掌シール部６でシールし、合掌シール部６の切除に伴い、天面を開口させるようにする。【選択図】図１
2014015231.tif 000002
【特許請求の範囲】
【請求項１】
基材層とシーラント層を積層したフィルム(1)を折り曲げ、底面部(2)、対向する側面部(3)及び天面部(4)を形成すると共に、底面部(2)と天面部(4)にガセットを形成してシールし、底面部(2)のガセットを開いて自立可能としたフィルム製包装袋において、底面部(2)と天面部(4)のガセット(2a,2b,4a,4b)を、複数の襞状の折込により形成し、対向する側面部(3)とその間に挟まれた底面部(2)及び天面部(4)の両側端部を摘むようにして、側端シール部(5)で一体的にシールしたことを特徴とするフィルム製包装袋。
【請求項２】
前記底面部(2)及び天面部(4)に形成したガセット(2a,2b,4a,4b)を、互い違いに折込幅を変えて非対称とし、側端シール部(5)で底面部(2)と天面部(4)の一側及び他側のガセット(2a,4b)が重なり、これに対し、他側及び一側のガセット(2b,4a)がずれて重ならないようにしたことを特徴とする請求項１に記載のフィルム製包装袋。
【請求項３】
前記底面部(2)に対向する側面部(3)及び天面部(4)を順次連設し、天面部(4)の端縁部同士を合掌シール部(6)でシールしたことを特徴とする請求項１又は２に記載のフィルム製包装袋。
【発明の詳細な説明】
【技術分野】
【０００１】
この発明は、フィルムを折り曲げて製袋し、ガセットにより自立可能としたフィルム製包装袋に関するものである。
【背景技術】
【０００２】
一般に、ナッツ類等の菓子は、ピロー袋と呼ばれる３方シールのフィルム製包装袋で包装されている。このような包装袋の内容物を多人数で食べる際には、テーブルの中央部に開口させた包装袋を置き、内容物を自由に取れるようにすることが好ましい。
【０００３】
ところが、上記のような包装袋は、自立性がないことから、テーブル上に寝かしておかなければならず、そのように寝かした状態で、一端のシール部を破っただけでは、開口部が小さいため、内容物を取り出し難く、一方の側面中央部の縦向きのシール部を破って大きく開口させると、内容物がこぼれやすくなる。
【０００４】
また、下記特許文献１には、図８に示すように、ウインナーソーセージ等の食品の包装袋として、基材層とシーラント層を積層したフィルムを折り曲げて、底面部５１、対向する側面部５２及び天面部５３を形成すると共に、底面部５１及び天面部５３に折込によりガセットを形成し、一方の側面部５２の中間部全幅に亘る合掌シール部５４及び両側端の側端シール部５５，５６，５７でシールしたものが記載されている。
【０００５】
このような包装袋では、底面部５１のガセットを開くと、自立可能となり、天面部５３のガセットを開くと、上方から視認可能な広い表示面を形成することができる。また、開封に際し、側面部５２を天面部５３の下方で切断すると、切断位置で開口するので、内容物を取り出すことができる。
【先行技術文献】
【特許文献】
【０００６】
【特許文献１】特開２０１１−１４８５０３号公報
【発明の概要】
【発明が解決しようとする課題】
【０００７】
しかしながら、上記のような包装袋では、開封状態での開口部が小さいので、ナッツ類等の菓子の包装に使用して、多人数で内容物を食べる際、テーブル上に自立させて置いたまま、内容物を取り出すことが難しいという問題がある。
【０００８】
そこで、この発明は、自立可能な包装袋を大きく開口させて、内容物を容易に取り出せるようにすることを課題とする。
【課題を解決するための手段】
【０００９】
上記課題を解決するため、この発明は、基材層とシーラント層を積層したフィルムを折り曲げ、底面部、対向する側面部及び天面部を形成すると共に、底面部と天面部にガセットを形成してシールし、底面部のガセットを開いて自立可能としたフィルム製包装袋において、底面部と天面部のガセットを、複数の襞状の折込により形成し、対向する側面部とその間に挟まれた底面部及び天面部の両側端部を摘むようにして、側端シール部で一体的にシールしたのである。
【００１０】
また、前記底面部及び天面部に形成したガセットを、互い違いに折込幅を変えて非対称とし、側端シール部で底面部と天面部の一側及び他側のガセットが重なり、これに対し、他側及び一側のガセットがずれて重ならないようにしたのである。
【００１１】
さらに、前記底面部に対向する側面部及び天面部を順次連設し、天面部の端縁部同士を合掌シール部でシールしたのである。
【発明の効果】
【００１２】
この発明に係るフィルム製包装袋では、ガセットが複数の谷を形成するものとして、開封状態における開口部の幅を、側面部の高さを超える大きさに設定することができ、自立状態で大きく開口させて、内容物を容易に取り出すことができる。このとき、内容物がこぼれにくく、内容物が減少しても倒れることがない。
【００１３】
また、底面部及び天面部のガセットを非対称とし、側端シール部で底面部と天面部の一側及び他側のガセットが重なり、これに対し、他側及び一側のガセットがずれて重ならないようにすると、側端シール部の段差が抑制され、密閉性能を確保することができる。
【００１４】
さらに、天面部の端縁部同士を合掌シール部でシールして封緘すると、上端に位置する合掌シール部を切除するだけで、天面を大きく開口させることができる。
【図面の簡単な説明】
【００１５】
【図１】この発明の実施形態に係る包装袋の封緘状態を示す斜視図
【図２】同上のII−II線に沿った断面図
【図３】同上の吊下陳列状態を示す斜視図
【図４】同上の開封過程を示す斜視図
【図５】同上の開封状態を示す斜視図
【図６】同上の製袋前のフィルムを示す図
【図７】同上の製袋後の側端シール部を示す縦断側面図
【図８】従来の自立可能な包装袋の封緘状態を示す斜視図
【発明を実施するための形態】
【００１６】
以下、この発明の実施形態を添付図面に基づいて説明する。
【００１７】
図１及び図２に示すように、この包装袋は、ナッツ類を内容物として包装するものであり、合成樹脂製のフィルム１を折り曲げて、底面部２、対向する側面部３及び天面部４を形成すると共に、底面部２及び天面部４にガセット２ａ，２ｂ，４ａ，４ｂを形成し、内容物を収納すると共に、両側端部の側端シール部５及び上端部の合掌シール部６でシールしたものである。
【００１８】
フィルム１は、基材層１ａとシーラント層１ｂを積層したものであり、材質構成が二軸延伸ポリプロピレン（ＯＰＰ）と無延伸ポリプロピレン（ＣＰＰ）、ポリエチレンテレフタレート（ＰＥＴ）と直鎖状低密度ポリエチレン（ＬＬＤＰＥ）、ＯＰＰとアルミ蒸着無延伸ポリプロピレン（ＶＭ−ＣＰＰ）等のものを用いる。
【００１９】
製袋前の状態のフィルム１において、図６に示すように、その各部分を製袋後の各部に対応させた場合、底面部２を中間部に配置し、これを挟んで山折線を介し一対の側面部３及び天面部４を順次連設する。各天面部４の先端側には、後述する合掌シール部６でのシールのために中頂部７を連設する。
【００２０】
底面部２には、幅の広いガセット２ａと幅の狭いガセット２ｂとを山折線を介して形成し、それぞれの中間部に谷折線を形成する。幅の広いガセット２ａ側の天面部４は、幅の狭いガセット４ａとし、幅の狭いガセット２ｂ側の天面部４は、幅の広いガセット４ｂとして、それぞれの中間部に谷折線を形成する。
【００２１】
フィルム１の両側端部は、側端シール部５とし、ガセット２ａ，２ｂ，４ａ，４ｂの両方の側端シール部５には、シール時に側面部３同士を貼着するため、シール穴８を穿設する。このシール穴８は、製袋前に開けておく必要がある。
【００２２】
また、両方の側面部３及びガセット２ａ，４ｂの一方の側端シール部５には、陳列用の吊下穴９を穿設し、両方の側端シール部５には、開封用の切込１０を入れる。吊下穴９及び切込１０は、製袋後に開けることにより、フィルム１の重ね合わせの誤差に伴う位置ずれが防止される。
【００２３】
このフィルム１を製袋する際には、図７に示すように、底面部２及び天面部４のガセット２ａ，２ｂ，４ａ，４ｂを襞状の折込により形成し、対向する側面部３とその間に挟まれた底面部２及び天面部４の両方の側端部を摘むようにして、側端シール部５でシーラント層１ｂ同士が貼着されるようにヒートシールする。
【００２４】
このとき、側面部３同士がシール穴８を介して貼着され、対向する側面部３とその間に折り込まれたガセット２ａ，２ｂ，４ａ，４ｂとがばらばらにならないように、一体的にシールされる。
【００２５】
また、底面部２及び天面部４のガセット２ａ，２ｂ，４ａ，４ｂを、互い違いに折込幅を変えて非対称とし、側端シール部５で底面部２と天面部４の一側及び他側のガセット２ａ，４ｂが重なり、これに対し、他側及び一側のガセット２ｂ、４ａがずれて重ならないようにしているので、側端シール部５の段差が抑制され、密閉性能が確保される。
【００２６】
このように側端シール部５でシールした後、図１及び図２に示すように、天面の開口部から内容物を充填し、中頂部７同士を突き合わせて、合掌シール部６でシーラント層１ｂ同士が貼着されるようにヒートシールして封緘する。
【００２７】
なお、一方の側端シール部５と合掌シール部６とでフィルム１を先にシールしておき、その状態で開放状態の側端から内容物を充填して、他方の側端シール部５でフィルム１をシールして封緘するようにしてもよい。
【００２８】
この封緘方法による場合、ロールに巻回したフィルム１を内容物の製造業者に納入し、その業者の包装ラインにおいて、フィルム１をロールから繰り出し、製袋しつつ内容物を充填して、封緘するようにしてもよい。
【００２９】
上記いずれかの方法により内容物を充填して封緘した包装袋は、ガセット２ａ，２ｂ，４ａ，４ｂが開いて自立可能となる。この包装状態では、底面部２及び天面部４の中間部の幅が広くなるので、店頭で陳列する際、多数個の包装袋を積み上げることもできる。
【００３０】
また、図３に示すように、一方の側端シール部５が上端となり、他方の側端シール部５が下端となるようにして、吊下穴９に店頭の什器の吊下棒Ｂを挿通し、吊り下げた状態で陳列することもできる。
【００３１】
一方、このように封緘した包装袋を開封する際には、図４に示すように、一方の切込１０からフィルム１を引き裂き、合掌シール部６を切除して、天面を開口させる。
【００３２】
このように開封した包装袋は、底面のガセット２ａ，２ｂ及び天面のガセット４ａ，４ｂが複数の谷を形成していることから、図５に示すように、幅広く大きく開口し、内容物のナッツを多人数で食べる際、テーブルの中央部に開口させた包装袋を自立させて置いた状態で、内容物を容易に摘んで取り出すことができる。また、このとき、内容物がこぼれにくく、内容物が減少しても倒れることがない。
【００３３】
なお、上記実施形態では、底面部２及び天面部４のガセット２ａ，２ｂ，４ａ，４ｂをそれぞれ襞状にそれぞれ２回折り込んで、側面部３の２倍までの開口幅を確保できるようにしているが、これらをそれぞれ３回以上襞状に折り込んで形成してもよく、その場合、側面部３の２倍を超える開口幅を確保することができる。
【００３４】
また、上端に位置する天面部４の端縁部同士を合掌シール部６でシールしているが、合掌シール部６は、側面部３と天面部４の稜部や、側面部３の中間部等に位置するようにしてもよい。
【００３５】
また、合掌シール部６に替えて、封筒状のシールや溶断シール等により封緘することもできる。
【符号の説明】
【００３６】
１  フィルム
１ａ  基材層
１ｂ  シーラント層
２  底面部
２ａ，２ｂ  ガセット
３  側面部
４  天面部
４ａ，４ｂ  ガセット
５  側端シール部
６  合掌シール部
７  中頂部
８  シール穴
９  吊下穴
１０  切込
【図１】
2014015231.tif 000003
【図２】
2014015231.tif 000004
【図３】
2014015231.tif 000005
【図４】
2014015231.tif 000006
【図５】
2014015231.tif 000007
【図６】
2014015231.tif 000008
【図７】
2014015231.tif 000009
【図８】
2014015231.tif 000010